(57)【要約】【課題】  ホログラム記録媒体に対してノイズのホログラムが記録されることを防止することができるホログラム記録装置及びホログラム記録方法を提供すること。【解決手段】  図４（ｃ）の「１」の期間は振幅が乱れる期間とほぼ同じ期間であり、この期間の間、空間光変調器１２３は全面暗のパターンとされる。図４（ｃ）の「２」の期間は始点が「１」の直後に連続した点で終点が例えばレーザダイオードから出力されるレーザ光は立ち下がりにほぼ一致しており、この期間の間に空間光変調器１２３に記録パターンが表示される。図４（ｃ）の「３」の期間は「１」及び「２」以外の期間であり、この期間は記録パターンから暗パターンの切り替え又は記録パターンから反転記録パターンへの切り替えが行われる。そして、この間に参照光角度の移動やホログラム記録媒体１０１の移動などが行われる。【選択図】  図４
2006106322.tif 000002
【特許請求の範囲】
【請求項１】
ホログラム記録媒体に信号光及び参照光を入射してホログラム記録するホログラム記録装置であって、
レーザ光をパルス状に出力するレーザ光源と、
前記出力されたレーザ光を信号光と参照光とに分離する手段と、
前記分離された信号光を、又は信号光及び参照光のそれぞれを変調する空間光変調手段と、
前記レーザ光源から出力されるレーザ光のパルスの遅くても立ち上がり時から所定期間、前記空間光変調手段により前記信号光及び前記参照光のうち少なくとも一方を全面暗のパターンで変調するように制御する制御手段と
を具備することを特徴とするホログラム記録装置。
【請求項２】
請求項１に記載のホログラム記録装置であって、
前記レーザ光源は、半導体レーザであり、
前記所定期間は、前記レーザ光のパルスの立ち上がり時から生じる振幅のばらつきが安定するまでの期間である
ことを特徴とするホログラム記録装置。
【請求項３】
請求項１に記載のホログラム記録装置であって、
前記レーザ光源は、外部共振器型レーザであり、
前記所定期間は、前記レーザ光のパルスの立ち上がり時から生じる発振波長のばらつきが安定するまでの期間である
ことを特徴とするホログラム記録装置。
【請求項４】
請求項３に記載のホログラム記録装置であって、
前記発振波長のばらつきは、前記発振波長が鋸状のものである
ことを特徴とするホログラム記録装置。
【請求項５】
請求項３に記載のホログラム記録装置であって、
前記発振波長のばらつきは、前記発振波長がモーホップして長波長側に移るまでのものである
ことを特徴とするホログラム記録装置。
【請求項６】
レーザ光をパルス状に出力し、
前記出力されたレーザ光を信号光と参照光とに分離し、
前記分離された信号光を、又は信号光及び参照光のそれぞれを変調し、これら信号光及び参照光をホログラム記録媒体に入射してホログラム記録し、
前記出力されるレーザ光のパルスの遅くても立ち上がり時から所定期間、前記信号光及び前記参照光のうち少なくとも一方を全面暗のパターンで変調するように制御する
ことを特徴とするホログラム記録方法。
【請求項７】
請求項６に記載のホログラム記録方法であって、
前記所定期間は、前記レーザ光のパルスの立ち上がり時から生じる振幅のばらつきが安定するまでの期間である
ことを特徴とするホログラム記録方法。
【請求項８】
請求項６に記載のホログラム記録方法であって、
前記所定期間は、前記レーザ光のパルスの立ち上がり時から生じる発振波長のばらつきが安定するまでの期間である
ことを特徴とするホログラム記録方法。
【請求項９】
請求項８に記載のホログラム記録方法であって、
前記発振波長のばらつきは、前記発振波長が鋸状のものである
ことを特徴とするホログラム記録方法。
【請求項１０】
請求項８に記載のホログラム記録方法であって、
前記発振波長のばらつきは、前記発振波長がモーホップして長波長側に移るまでのものである
ことを特徴とするホログラム記録方法。
【発明の詳細な説明】
【技術分野】
【０００１】
本発明は、ホログラム記録装置及びホログラム記録方法に関する。
【背景技術】
【０００２】
ホログラフィを使ってデータを記録するホログラム記録再生装置の開発が進められている。
【０００３】
ホログラム記録再生装置では、変調された（データが重畳された）信号光、変調されない参照光の２つをレーザ光から生成し、これらをホログラム記録媒体の同一場所に照射する。その結果、ホログラム記録媒体上で信号光と参照光が干渉して照射点に回折格子（ホログラム）が形成され、ホログラム記録媒体にデータが記録される。
【０００４】
記録済みのホログラム記録媒体に参照光を照射することで、記録時に形成された回折格子から回折光（再生光）が発生する。この再生光は記録時の信号光に重畳されたデータを含んでいるので、これを受光素子で受光して記録した信号を再生できる。
【０００５】
従来のホログラム記録再生装置において、レーザ光源として固体レーザやガスレーザを用いた場合にはレーザの直接変調はできないため、メカニカルシャッターやAOM (Acoust Optic Modulator)などの変調素子を用いてレーザが光源を出た後にビームの変調をかける装置が提案されてきた。それらの装置を用いた場合には光学系として小型化という意味ではどうしても制限されてしまい、また装置としても安価に作成することが不可能となる。
【０００６】
このようなホログラム記録再生装置において、レーザダイオードを用いることができればそれらの問題を解決できる。そこで、レーザダイオードのコヒーレンスをあげるために外部共振器型レーザの提案も行われている（例えば、特許文献１参照。）。レーザダイオードを光源として用いた場合には、レーザの直接変調が可能となるため、出射後に記録のためのビーム変調用の装置を用いる必要がなくなる。  
【特許文献１】特開１１−１０７３７７号公報（段落[００２８]〜[００３１]、図１）
【発明の開示】
【発明が解決しようとする課題】
【０００７】
しかしながら、レーザダイオードを直接変調した場合には、電流の変調に対してビームの立ち上がり時にノイズが発生するため、ホログラム記録に影響を与える、という問題がある。
【０００８】
また、外部共振器レーザを用いた場合には、緩和振動などで強度が不安定な状態が生じると共に波長の安定化までに時間を要する、という問題がある。波長が安定していない状態(複数の波長での発振状態)や１パルスの中で波長変化が起きてしまう状態でホログラム記録してしまうと、再生時に２つの波長で記録されたホログラムからの再生光の出射角度がずれてしまうために、それらの光がノイズとなってしまう。
【０００９】
以上のような事情に鑑み、本発明の目的は、ホログラム記録媒体に対してノイズのホログラムが記録されることを防止することができるホログラム記録装置及びホログラム記録方法を提供することにある。
【課題を解決するための手段】
【００１０】
Ａ．かかる課題を解決するため、本発明に係るホログラム記録装置は、ホログラム記録媒体に信号光及び参照光を入射してホログラム記録するホログラム記録装置であって、レーザ光をパルス状に出力するレーザ光源と、前記出力されたレーザ光を信号光と参照光とに分離する手段と、前記分離された信号光を、又は信号光及び参照光のそれぞれを変調する空間光変調手段と、前記レーザ光源から出力されるレーザ光のパルスの遅くても立ち上がり時から所定期間、前記空間光変調手段により前記信号光及び前記参照光のうち少なくとも一方を全面暗のパターンで変調するように制御する制御手段とを具備することを特徴とする。
【００１１】
本発明では、レーザ光源から出力されるレーザ光のパルスの遅くても立ち上がり時から所定期間、空間光変調手段により前記信号光及び前記参照光のうち少なくとも一方を全面暗のパターンで変調するように制御しているので、その所定期間はホログラム記録媒体へのホログラム記録が行われない。この所定の期間は、例えば半導体レーザを直接変調した場合には電流の変調に対してのビームの立ち上がりのノイズの発生期間であり、或いは外部共振器レーザを用いた場合には波長の不安定期間である。従って、この所定期間の間、ホログラム記録媒体へのホログラム記録を行わないことによって、ホログラム記録媒体に対してノイズのホログラムが記録されることを防止することができる。加えて、本発明では、本来的にはデータの変調に用いる空間光変調手段を併用して、つまり空間光変調手段により信号光及び前記参照光のうち少なくとも一方を全面暗のパターンで変調するように制御することで、上記のノイズのホログラムの記録を防止しているので、物理的な部品、例えば専用のシャッターなどを増設する必要もない。
【００１２】
なお、「遅くても立ち上がり時」とは、立ち上がりとほぼ同時ばかりでなく、立ち上がり以前から全面暗のパターンでの変調を開始しても良いことを意味しており、その場合も当然上記の本願発明の作用効果を奏する。
（１）前記レーザ光源は、半導体レーザであり、前記所定期間は、前記レーザ光のパルスの立ち上がり時から生じる振幅のばらつきが安定するまでの期間であってもよい。
【００１３】
レーザ光源として半導体レーザを用いたホログラム記録再生装置において、レーザのパルス発振で発振し始めにノイズが発生してしまい、出力信号の波形が乱れてしまう（振幅のばらつき）。また、電流のパルスに対してレーザの出力に遅延が生じる。ここで、レーザ出力の波形の乱れがホログラム記録に何らかの影響を与えることが懸念される。そこで、これらのノイズの部分がホログラム記録されないように、レーザ光のパルスの立ち上がり時から生じる振幅のばらつきが安定するまでの期間、上記の全面暗のパターンの変調を行う。
（２）前記レーザ光源は、外部共振器型レーザであり、前記所定期間は、前記レーザ光のパルスの立ち上がり時から生じる発振波長のばらつきが安定するまでの期間であってもよい。
【００１４】
ホログラム記録装置において、よりコヒーレンスを上げるために外部共振器型レーザの使用が提案されている。単体のレーザダイオードチップでの発振ではマルチモード発振であるため、ホログラムとしてのコントラストが悪いのに対して、外部共振器構造をもったレーザダイオードは安定して単一波長での発振が可能となる。それらのレーザ光源を用いた場合にはレーザの直接変調が可能となるため出射後に記録のためのビーム変調用の装置を用いる必要がなくなり、小型ホログラム記録再生装置のブレークスルーとして期待される。しかし、実際のパルス出力の時の波長変化としては、立ち上がりの部分の最初の数ｍｓの間は波長が鋸状に大きく変化しており、その後波長はある一定に落ち着き、その後更にレーザダイオードの外部共振器長で波長がモードホップして長波長側に移るがその後は安定して発振している。実際のホログラム記録において波長変化は、回折光の出射角度変化に対応しているので、大きな波長変化が起こると出射角が大幅に変化してしまい、ノイズの原因となる。よって１つのホログラムの記録の際にはなるべく単一の波長で安定していることが望ましい。そこで、これらのノイズの部分がホログラム記録されないように、レーザ光のパルスの立ち上がり時から生じる発振波長のばらつきが安定するまでの期間、上記の全面暗のパターンの変調を行う。
【００１５】
ここで、前記発振波長のばらつきは、前記発振波長が鋸状のものであると定義してもよく、また前記発振波長のばらつきは、前記発振波長がモーホップして長波長側に移るまでのものであると定義してもよい。後者の場合には、よりノイズを少なくすることができる。一方、前者の場合には記録時間を長くしてエネルギーロスを減らすことができる。
Ｂ．本発明の別の観点に係るホログラム記録方法は、レーザ光をパルス状に出力し、前記出力されたレーザ光を信号光と参照光とに分離し、前記分離された信号光を、又は信号光及び参照光のそれぞれを変調し、これら信号光及び参照光をホログラム記録媒体に入射してホログラム記録し、前記出力されるレーザ光のパルスの遅くても立ち上がり時から所定期間、前記信号光及び前記参照光のうち少なくとも一方を全面暗のパターンで変調するように制御することを特徴とする。
【００１６】
本発明では、出力されるレーザ光のパルスの遅くても立ち上がり時から所定期間、信号光及び参照光のうち少なくとも一方を全面暗のパターンで変調するように制御しているので、その所定期間はホログラム記録媒体へのホログラム記録が行われない。よって、ホログラム記録媒体に対してノイズのホログラムが記録されることを防止することができる。
（１）前記所定期間は、前記レーザ光のパルスの立ち上がり時から生じる振幅のばらつきが安定するまでの期間であってもよい。
【００１７】
レーザ光のパルスの立ち上がり時から生じる振幅のばらつきが安定するまでの期間、上記の全面暗のパターンの変調を行うことで、ホログラム記録媒体に対してノイズのホログラムが記録されることを防止することができる。
（２）前記所定期間は、前記レーザ光のパルスの立ち上がり時から生じる発振波長のばらつきが安定するまでの期間であってもよい。
【００１８】
レーザ光のパルスの立ち上がり時から生じる発振波長のばらつきが安定するまでの期間、上記の全面暗のパターンの変調を行うことで、ホログラム記録媒体に対してノイズのホログラムが記録されることを防止することができる。
【００１９】
ここで、上記と同様に、前記発振波長のばらつきは、前記発振波長が鋸状のものであると定義してもよく、また前記発振波長のばらつきは、前記発振波長がモーホップして長波長側に移るまでのものであると定義してもよい。後者の場合には、よりノイズを少なくすることができる。一方、前者の場合には記録時間を長くしてエネルギーロスを減らすことができる。
【発明の効果】
【００２０】
以上のように、本発明によれば、レーザ光のパルスの遅くても立ち上がり時から所定期間、信号光及び参照光のうち少なくとも一方を全面暗のパターンで変調するように制御しているので、ホログラム記録媒体に対してノイズのホログラムが記録されることを防止することができる。
【発明を実施するための最良の形態】
【００２１】
以下、本発明の実施の形態を図面に基づき説明する。
［ホログラム記録再生装置の構成例］
【００２２】
図１は、本発明の一実施形態に係るホログラム記録再生装置の光学ユニット１００を表す模式図である。また、図２は光学ユニット１００の一部を拡大した状態を表す模式図である。なお、図２では、内容の判りやすさのための、光学素子の一部の図示を省略している。
【００２３】
図１、２に示すように、ホログラム記録再生装置は、ホログラム記録媒体１０１への情報の記録、再生を行うものであり、光学ユニット１００を備える。
【００２４】
光学ユニット１００は、記録再生用光源１１１，コリメートレンズ１１２，偏光ビームスプリッタ１１３，ミラー１２１，ピンホール１２２，空間光変調器（ＳＬＭ）１２３，ミラー１２４，ダイクロイックミラー１２５，凹レンズ１２６，対物レンズ１２７，ファラデー素子１３１、１３２，偏光ビームスプリッタ１３３，撮像素子１３４，ミラー１４１，遮蔽板１４２，位相変調素子１４３，サーボ用光源１５１，コリメートレンズ１５２，グレーティング１５３，ビームスプリッタ１５４，集光用レンズ１５５，シリンドリカルレンズ１５６，受光素子１５７，サーボ駆動ユニット１５８、制御部１５９を有する。
【００２５】
ホログラム記録媒体１０１は、保護層１０２，記録層１０３，グルーブ１０４，反射層１０５を有し、信号光と参照光による干渉縞を記録する記録媒体である。
【００２６】
保護層１０２は、記録層１０３を外界から保護するための層である。
【００２７】
記録層１０３は、この干渉縞を屈折率（あるいは、透過率）の変化として記録するものであり、光の強度に応じて屈折率（あるいは、透過率）の変化が行われる材料であれば、有機材料、無機材料の別を問うことなく利用可能である。
【００２８】
無機材料として、例えば、ニオブ酸リチウム（ＬｉＮｂＯ３）のような電気光学効果によって露光量に応じ屈折率が変化するフォトリフラクティブ材料を用いることができる。
【００２９】
有機材料として、例えば、光重合型フォトポリマを用いることができる。光重合型フォトポリマは、その初期状態では、モノマがマトリクスポリマに均一に分散している。これに光が照射されると、露光部でモノマが重合し、屈折率が変化する。
【００３０】
以上のように、記録層１０３の屈折率（あるいは透過率）が露光量に応じて変化することで、参照光と信号光との干渉によって生じる干渉縞を屈折率（あるいは透過率）の変化としてホログラム記録媒体１０１に記録できる。
【００３１】
ホログラム記録媒体１０１は、図示しない駆動手段で移動、または回転され、空間光変調器１２３の像を多数のホログラムとして記録することができる。
【００３２】
ホログラム記録媒体１０１が移動することから、ホログラム記録媒体１０１上への記録・再生は移動方向に形成されたトラックに沿って行われる。
【００３３】
グルーブ１０４は、ホログラム記録媒体１０１へのトラッキング、フォーカス等のサーボ制御を行うために設けられる。即ち、ホログラム記録媒体１０１のトラックに沿ってグルーブ１０４が形成され、信号光の集光位置、集光深さをグルーブ１０４と対応するように制御することで、トラッキングサーボ、およびフォーカスサーボが行われる。
【００３４】
記録再生用光源１１１は、レーザ光をパルス状に出力するレーザ光源であり、ここでは例えば波長４０５[ｎｍ]のレーザダイオード（ＬＤ）を用いている。
【００３５】
コリメートレンズ１１２は、記録再生用光源１１１から照射されたレーザ光を平行光に変換する光学素子である。
【００３６】
偏光ビームスプリッタ１１３は、コリメートレンズ１１２から入射した平行光を信号光と参照光に分割する光学素子である。偏光ビームスプリッタ１１３からは、ミラー１２１に向かうs波の信号光とミラー１４１に向かうp波の参照光が出射される。
【００３７】
ミラー１２１、１２４、１４１は、入射光を反射してその方向を変更する光学素子である。
【００３８】
ピンホール１２２は、信号光のビーム径を絞る光学素子である。
【００３９】
空間光変調器１２３は、信号光を空間的に（ここでは、２次元的に）変調して、データを重畳する光学素子である。空間光変調器１２３は、透過型の素子である透過型液晶素子を用いることができる。なお、空間光変調器に反射型の素子であるDMD (Digital micro mirror) や反射型液晶、GLV (Grating Light Value)素子を用いることが可能である。なお、空間光変調器１２３は、速い応答性をもったものである必要があり、応答速度として例えば１ｍｓ以下であることが望ましい。また、空間光変調器１２３は、制御部１５９によりその駆動が制御される。
【００４０】
ダイクロイックミラー１２５は、記録再生に用いる光（記録再生用光源１１１からのレーザ光）とサーボに用いる光（サーボ用光源１５１からのレーザ光）とを同一の光路にするための光学素子である。ダイクロイックミラー１２５は、記録再生用光源１１１とサーボ用光源１５１とでレーザ光の波長が異なることに対応して、記録再生用光源１１１からの記録再生光を透過し、サーボ用光源１５１からのサーボ光を反射する。ダイクロイックミラー１２５は記録再生用の光は全透過し、サーボ用に用いる光は全反射するような薄膜処理がその表面に施されている。
【００４１】
凹レンズ１２６は、信号光の収束性を参照光と異ならせるためのレンズである。信号光のみが凹レンズ１２６を通過することで、信号光と参照光のホログラム記録媒体１０１での集光深さが異なってくる。
【００４２】
対物レンズ１２７は、信号光および参照光の双方をホログラム記録媒体１０１に集光するための光学素子である。
【００４３】
ファラデー素子１３１、１３２は、偏光面を回転するための光学素子である。ファラデー素子１３１に入射したｓ偏光は偏光面が４５°回転され、ファラデー素子１３２で元のｓ偏光に戻される。
【００４４】
偏光ビームスプリッタ１３３は、ファラデー素子１３１から入射した偏光を透過し、ホログラム記録媒体１０１で反射されてファラデー素子１３２から戻ってきた戻り光（再生光）を反射するための光学素子である。これは、ファラデー素子１３１、１３２、と偏光ビームスプリッタ１３３との組み合わせにより実現される。
【００４５】
撮像素子１３４は、再生光の画像を入力するための素子である。
【００４６】
遮蔽板１４２は、参照光の一部を遮蔽して、記録光と重ならないようにするための光学素子である。
【００４７】
位相変調素子１４３は、参照光にランダム位相またはある一定の位相パターンを持たせるための光学素子であり、位相マスクといってもよい。位相変調素子１４３には、すりガラスやデフューザ、空間位相変調器を用いても良い。また、位相パターンを記録したホログラム素子を用いることも可能である。ホログラム素子からの再生によって位相パターンを有する光が発生する。
【００４８】
サーボ用光源１５１は、トラッキングサーボ、フォーカスサーボ等のサーボ制御を行うための光源であり、記録再生用光源１１１とは波長の異なるレーザ光を出射する。サーボ用光源１５１は、例えば、レーザーダイオードであり、発振波長としてホログラム記録媒体１０１に対して感度が小さい、例えば、６５０ｎｍを使用する。
【００４９】
コリメートレンズ１５２は、サーボ用光源１５１から照射されたレーザ光を平行光に変換する光学素子である。
【００５０】
グレーティング１５３は、コリメートレンズ１５２から出射されたレーザ光を３つのビームに分割するための光学素子であり、２枚の素子から構成される。サーボ制御のためにレーザ光の分割が行われる。
【００５１】
ビームスプリッタ１５４は、グレーティング１５３から出射されたレーザ光を透過し、ホログラム記録媒体１０１から反射されて戻ってきた戻り光を反射するための光学素子である。
【００５２】
集光用レンズ１５５は、ビームスプリッタ１５４からの戻り光を受光素子１５７に集光するための光学素子である。
【００５３】
シリンドリカルレンズ１５６は、集光用レンズ１５５から出射されたレーザ光のビーム形状を円形から楕円形に変換するための光学素子である。
【００５４】
受光素子１５７は、戻り光を受光し、トラッキングサーボ制御のためのトラッキングエラー信号とフォーカスサーボ制御のためのフォーカスエラー信号を出力するための素子、例えば、ＣＣＤである。
【００５５】
サーボ駆動ユニット１５８は、受光素子１５７からのトラッキングエラー信号およびフォーカスエラー信号により対物レンズ１２７を駆動し、トラッキング制御およびフォーカス制御を行うための駆動機構であり、駆動用のコイル１６１，１６２を有する。
（ホログラム記録装置の動作）
【００５６】
以下、ホログラム記録装置の動作の概要を説明する。
Ａ．記録時
【００５７】
記録時におけるホログラム記録装置の動作の概要を説明する。
【００５８】
記録再生用光源１１１から出射されたレーザ光がコリメートレンズ１１２によって平行光になり偏光ビームスプリッタ１１３によってs波の信号光とp波の参照光とに分割される。
【００５９】
信号光はミラー１２１によって反射され,ピンホール１２２によって所望のビーム径にされ、空間光変調器１２３によって空間的に強度変調される。空間光変調器１２３で光変調されたレーザ光はファラデー素子１３１、偏光ビームスプリッタ１３３，ファラデー素子１３２を通過し、ミラー１２４によって反射され、ホログラム記録媒体１０１上での焦点を調節する凹レンズ１２６を通過する。
【００６０】
また偏光ビームスプリッタ１１３を透過した参照光はミラー１４１で反射され、遮蔽板１４２によってビームの中心部分のみが遮断され所望のビームの形にされる。このため、ミラー１２４では反射されず信号光と同一の光路となる。
【００６１】
対物レンズ１２７が記録光と参照光とをホログラム記録媒体１０１上の略同一の箇所に集光することで、ホログラム記録媒体１０１上に干渉縞が形成される。この結果、空間光変調器１２３によって空間変調された情報をホログラム記録媒体１０１上にホログラムとして記録する。
【００６２】
なお、受光素子１５７からサーボ信号が出力され、このサーボ信号に基づきサーボ駆動ユニット１５８が動作することで、トラッキングおよびフォーカスのずれが解消される。
Ｂ．再生時
【００６３】
再生時におけるホログラム記録装置の動作の概要を説明する。
【００６４】
再生時には信号光を遮断し、参照光のみをホログラム記録媒体１０１に入射させる。
【００６５】
記録再生用光源１１１から出射し、偏光ビームスプリッタ１１３を透過した参照光がミラー１４１によって反射され、遮蔽板１４２によってビームの中心部分のみが遮断される。その後、参照光はダイクロイックミラー１２５を通過し、位相変調素子１４３によって記録時と同様の位相パターンを有する参照光となりホログラム記録媒体１０１に入射する。
【００６６】
記録時と同じ位相パターンを持った参照光がホログラム記録媒体１０１に入射することにより、ホログラム記録媒体１０１に記録されたホログラムから回折光（再生光）が発生する。
【００６７】
発生した再生光は信号光と逆の光路をたどり、対物レンズ１２７、凹レンズ１２６，ダイクロイックミラー１２５を透過して、ミラー１２４で反射される。
【００６８】
ミラー１２４で反射された再生光は、ファラデー素子１３２によって偏光方向が回転される。その結果、ファラデー素子１３２を出射した再生光は、偏光ビームスプリッタ１３３で反射され、撮像素子１３４によって空間光変調器１２３での空間的な２次元データに対応する電気信号に変換される。撮像素子１３４からの出力は、図示しない信号処理部によって２値化され、時系列２値化データに変換される。
［位相変調素子１４３によるホログラムの記録］
【００６９】
図３は、ホログラム記録再生装置により記録・再生されるホログラムを表す模式図である。
【００７０】
図３に示すように、空間光変調器１２３により空間的に変調された信号光と、位相変調素子１４３によってランダムな位相パターン又はある一定の規則性を持った位相パターンが付与された参照光とが干渉することで、ホログラム記録媒体１０１上にホログラムが記録される。記録時と一致する位相パターンを有する参照光をホログラム記録媒体１０１上に照射することで記録したホログラムが再生される（位相相関多重方式）。
【００７１】
ここで、ホログラム記録媒体１０１又は位相変調素子１４３を図３のｘ方向、又はｙ方向にシフトさせることで多重記録を行える。
【００７２】
ホログラム記録媒体１０１又は位相変調素子１４３を図３のｘ方向、又はｙ方向にシフトさせると、参照光の位相パターンが変化して、回折効率が減少する。
【００７３】
位相変調素子１４３により位相相関多重方式による多重記録が可能となり、大量のデータを記録することが可能となるが、本発明においては、必ずしも位相変調素子１４３等を用いた多重を必要とするわけではない。
【００７４】
既述のように、参照光と記録光とがホログラム記録媒体１０１上で干渉することで、ホログラム記録媒体１０１にホログラムが形成される。このとき、参照光と記録光とは次のようなものを用いることができる。
【００７５】
参照光として、ホログラム記録媒体１０１上に位相変調素子１４３の実像、フーリエ像のいずれかを形成するものを用いることができる。また、参照光として、ホログラム記録媒体１０１上に明確な像を形成しない、フレネル領域の参照光を用いることもできる。
【００７６】
記録光として、ホログラム記録媒体１０１面上に空間光変調器１２３の実像、フーリエ像のいずれかを形成するものを用いることができる。また、記録光として、空間光変調器１２３の実像やフーリエ像から多少デフォーカスした像を形成するものを用いることもできる。
【００７７】
このような参照光、記録光での結像状態を適宜に組み合わせて、ホログラム記録媒体１０１上にホログラムを形成し、データを記録することができる。
［制御部１５９による空間光変調器１２３の制御］
【００７８】
図４は制御部１５９による空間光変調器１２３の制御を説明するための波形図である。図４（ａ）は記録再生用光源１１１としてのレーザダイオード（ＬＤ）に流されるパルス電流の波形図、同図（ｂ）はそのレーザダイオードから出力されるレーザ光の出力波形図（縦軸は振幅）、同図（ｃ）は空間光変調器１２３の制御のパターンを示した図である。同図（ａ）〜（ｃ）における横軸は共通の時間を示している。
【００７９】
レーザダイオードに流されるパルス電流（ａ）の立ち上がりにやや遅延するようにしてレーザダイオードからレーザ光（ｂ）が出力される。レーザダイオードから出力されるレーザ光は立ち上がりから所定期間の間、緩和振動により振幅が鋸状に乱れる。これに対して、空間光変調器１２３は制御部１５９のもとで図４（ｃ）のように制御される。
【００８０】
図４（ｃ）の「１」の期間は上記の振幅が乱れる期間とほぼ同じ期間であり、この期間の間、空間光変調器１２３は全面暗のパターンとされる。全面暗のパターンとは、空間光変調器１２３が液晶装置からなる場合には全ての画素が光を透過しないパターンをいう。ただし、全面暗のパターンとは、実質的な意味での「全」であり、必ずしも完全に「全」を意味するものでない。つまり、例えば１つ乃至複数の画素が光を透過することがあっても、その透過がノイズの発生という観点からほとんど無意味なものであれば、それは「全」に含まれるものと解釈する。また、「１」の期間は振幅が乱れる期間とほぼ同じ期間というところの「ほぼ」についても完全に一致しなければならないことを意味しており、ノイズの発生という観点からほとんど無意味なものであれば、「１」<振幅が乱れる期間であってもかまわない。
【００８１】
図４（ｃ）の「２」の期間は始点が「１」の直後に連続した点で終点が例えばレーザダイオードから出力されるレーザ光は立ち下がりにほぼ一致しており、この期間の間に空間光変調器１２３に記録パターンが表示される。つまり、空間光変調器１２３にはデータに応じた明暗のパターンが表示される。
【００８２】
図４（ｃ）の「３」の期間は「１」及び「２」以外の期間であり、この期間は記録パターンから暗パターンの切り替え又は記録パターンから反転記録パターンへの切り替えが行われる。そして、この間に参照光角度の移動やホログラム記録媒体１０１の移動などが行われる。
【００８３】
この実施形態においては、図４（ｃ）の「１」の期間はレーザダイオードから出力されるレーザ光の波形が乱れているため、ここでは全面暗のパターンを表示させることによってホログラム記録媒体１０１に信号光を入射させない。そして、レーザダイオードのレーザ光の出力が安定する「２」の期間で空間光変調器１２３に記録パターンを表示することにより実際の記録を行う。
【００８４】
なお、「３」の期間では「１」の期間と同様に全面に暗のパターンを表示しておくことによって「１」のパターンになったときに切り替える必要がなくなる。
【００８５】
以上の制御を実行することによって、２光波の干渉によるホログラム記録が行われないために、レーザダイオードのレーザ光の出力が不安定なときのホログラム記録を防ぐことができる。
【００８６】
なお、図４（ｃ）の「２」の期間は、空間光変調器１２３だけでなく、位相変調素子１４３として空間位相変調器を用いたときに、この空間位相変調器についても全面暗のパターンとすることによって、信号光及び参照光の両方の光を遮るように構成してもよく、その場合には、ホログラム記録媒体１０１のダイナミックレンジの消費を防ぐという利点もある。
［記録再生用光源１１１の他の構成例］
【００８７】
図５は記録再生用光源１１１の他の構成例であるチューナブルレーザ（外部共振器型レーザの一例）の示す概略図である。
【００８８】
この記録再生用光源１１１は、レーザダイオード１７０，コリメートレンズ１７１，回折格子１７２，ミラー１７３，保持部材１７４及び回転駆動部１７５を備える。
【００８９】
レーザダイオード１３０は、マルチモードのレーザ光をパルス状に発光する。例えば、４１０ｎｍ程度のブルーのレーザ光を発光するものである。
【００９０】
コリメートレンズ１７１は、レーザダイオード１７０により発光されたレーザ光を平行光とする。
【００９１】
回折格子１７２は、波長ごとに異なる方向へ１次光を発生し、そのうち特定波長（例えば４１０ｎｍ）の１次光がレーザダイオード１７０に戻るようにレーザダイオード１７０との間の角度が設定されている。これにより、レーザダイオード１７０内でその波長成分だけが増大し、シングルモードとなる。レーザダイオード１７０により発光されるレーザ光の大半は、１次光ではなく０次光であり、回折格子１７２でミラーのように反射する。つまり、この記録再生用光源１１１は、基本的にはＬｉｔｔｒｏｗ型外部共振器レーザである。
【００９２】
ミラー１７３は、回折格子１７２により反射したレーザ光の光路を特定方向に変更する。
【００９３】
保持部材１７４は、回折格子１７２とミラー１７３とを保持する。回折格子１７２とミラー１７３とは常に所定の角度が維持されている。これにより、回折格子１７２が回転してもミラー１７３によりレーザ光の出射方向を固定することができる。
【００９４】
保持部材１７４は軸１７６により回転可能に保持されている。保持部材１７４では、軸１７６の一側に回折格子１７２及びミラー１７３が配置され、他側に回転用の軸１７７が一体的に設けられている。
【００９５】
回転駆動部１７５は、軸１７６を中心として保持部材１７４を回転するものであり、本体１７８、回転用の軸１７７を押すためのネジ１７９、回転用の軸１７７がネジ１７９により押される方向とは反対方向から回転用の軸１７７に弾性力を付与する板バネ１８０を備える。ネジ１７９は例えば図示を省略した回転駆動モータにより回転されるようになっている。
【００９６】
このように構成された記録再生用光源１１１では、回折格子１７２を回転させること、例えば４１０ｎｍ程度のブルーのレーザ光の波長を５ｎｍ程度可変することができる。
【００９７】
このように構成された外部共振器型レーザは、単体のレーザダイオードチップでの発振ではマルチモード発振であるため、ホログラムとしてのコントラストが悪いのに対して、安定して単一波長での発振が可能となる。つまり、外部共振器型レーザを記録再生用光源１１１として用いた場合には、レーザ光の直接変調が可能となるため、出射後に記録のためのビーム変調用の装置を用いる必要がなくなる。このため外部共振器型レーザは、小型ホログラム記録再生装置のブレークスルーとして期待される。
【００９８】
しかしながら、図６及び図７に示すように、実際のパルス出力の時の波長変化Ａとしては、立ち上がりの部分の最初の数ｍｓの間は波長が鋸上に大きく変化しており（１０）、その後波長はある一定に落ち着き（１１）、その後更にレーザダイオードの外部共振器長で波長がモードホップして長波長側に移るがその後は安定して発振している（１２）。
【００９９】
実際のホログラム記録において波長変化は、回折光の出射角度変化に対応しているので、大きな波長変化が起こると出射角が大幅に変化してしまい、ノイズの原因となる。よって１つのホログラムの記録の際にはなるべく単一の波長で安定していることが望ましい。
【０１００】
そこで、本実施形態においては、制御部１５９による空間光変調器１２３の制御を図８に示すように行っている。
【０１０１】
図８（ａ）は記録再生用光源１１１内のレーザダイオード１７０に流されるパルス電流の波形図、同図（ｂ）は外部共振器型レーザから出力されるレーザ光の出力波形図（縦軸は波長）、同図（ｃ）は空間光変調器１２３の制御のパターンを示した図、図（ｄ）は同制御の他のパターンを示した図である。同図（ａ）〜（ｄ）における横軸は共通の時間を示している。
【０１０２】
レーザダイオードに流されるパルス電流（ａ）の立ち上がりにやや遅延するようにして外部共振器型レーザからレーザ光（ｂ）が出力される。レーザダイオードから出力されるレーザ光は立ち上がりから所定期間の間、振幅が乱れる（図６及び図７参照）。これに対して、空間光変調器１２３は制御部１５９のもとで図８（ｃ）のように制御される。
【０１０３】
図８（ｃ）の「１」の期間は期間（図７の１０）とほぼ同じ期間であり、この期間の間、空間光変調器１２３は全面暗のパターンとされる。
【０１０４】
図８（ｃ）の「２」の期間は始点が「１」の直後に連続した点で終点が例えば外部共振器型レーザから出力されるレーザ光は立ち下がりにほぼ一致しており、この期間の間に空間光変調器１２３に記録パターンが表示される。つまり、空間光変調器１２３にはデータに応じた明暗のパターンが表示される。
【０１０５】
図８（ｃ）の「３」の期間は「１」及び「２」以外の期間であり、この期間は記録パターンから暗パターンの切り替え又は記録パターンから反転記録パターンへの切り替えが行われる。そして、この間に参照光角度の移動やホログラム記録媒体１０１の移動などが行われる。
【０１０６】
この実施形態においては、図８（ｃ）の「１」の期間は外部共振器型レーザから出力されるレーザ光の波長が大きく乱れているため、ここでは全面暗のパターンを表示させることによってホログラム記録媒体１０１に信号光を入射させない。そして、外部共振器型レーザのレーザ光の波長がほぼ安定する「２」の期間で空間光変調器１２３に記録パターンを表示することにより実際の記録を行う。
【０１０７】
なお、「３」の期間では「１」の期間と同様に全面に暗のパターンを表示しておくことによって「１」のパターンになったときに切り替える必要がなくなる。しかし、空間光変調器１２３として常に反転パターンを表示させることが必須なものについては「３」の間にその反転パターンを表示させておき、「１」の部分でのみ全面暗のパターンを表示させるようにしても勿論かまわない。
【０１０８】
以上の制御を実行することによって、２光波の干渉によるホログラム記録が行われないために、外部共振器型レーザのレーザ光の出力が不安定なときのホログラム記録を防ぐことができる。
【０１０９】
また、上記では大きな波長変化が生じるときのみを記録の部分から外したが、より小さな波長変化によってもノイズ特性に大きな影響を受けるような光学系、例えば空間光変調器１２３とＣＣＤ１３４を完全に１：１に対応させたピクセルマッチングを想定した光学系においては、図８（ｄ）に示すように、小さな波長変化の部分（図７の１１の部分）も除いて図中の「５」の部分だけ空間光変調器１２３の記録パターンを表示させるようにしても構わない。
【０１１０】
この手法を用いることよって２光波の干渉によるホログラム記録が行われないためにノイズのホログラムの記録を防ぐことができる。
【０１１１】
なお、図８（ｃ）の「２」、図８（ｄ）の「５」の期間は、空間光変調器１２３だけでなく、位相変調素子１４３として空間位相変調器を用いたときに、この空間位相変調器についても全面暗のパターンとすることによって、信号光及び参照光の両方の光を遮るように構成してもよく、その場合には、ホログラム記録媒体１０１のダイナミックレンジの消費を防ぐという利点もある。例えば、図９で示すような一般的な角度多重や位相相関多重に用いられる２つの光を別々のレンズを透してホログラム記録媒体１０１に入射する２光束光学系において、信号光のみが空間位相変調器で光変調をかけられている場合には、レーザでの変調と共に信号光のみのしかオン・オフを制御できないため、ノイズのホログラムを避けることはできるが、参照光の入射によってホログラム記録媒体１０１のダイナミックレンジは消費されてしまう。これに対して、図１０で示されるような２光束光学系でも参照光側にも空間位相変調器で変調された光学系(一部の相関多重で用いられる)であれば信号光と参照光側の空間位相変調器を同時に制御することによってダイナミックレンジの消費も抑えることができる。なお、図１１に図１に示したホログラム記録再生装置における光学系の概略を示す。この場合、説明してきた通り、図１０と同様の制御を行うことが可能であり、ダイナミックレンジの消費も抑えることができる。
［その他］
【０１１２】
本発明に適用可能な多重化記録方式としては、例えば角度多重方式、波長多重方式、シフト多重方式、位相コード多重方式、位相相関多重方式などがある。
【０１１３】
本発明に適用可能なホログラム記録再生用光源としては、レーザダイオード、外部共振器型レーザばかりでなく、パルス発振によって出力波長や波形が不安定になるものであれば適応可能で、例えばSHG結晶を用いた固体レーザや半導体レーザ、ＤＦＢレーザ、ガスレーザなどでもよい。
【図面の簡単な説明】
【０１１４】
【図１】本発明の一実施形態に係るホログラム記録再生装置の光学ユニットを表す模式図である。
【図２】光学ユニットの一部を拡大した状態を表す模式図である。
【図３】ホログラム記録再生装置により記録・再生されるホログラムを表す模式図である。
【図４】制御部による空間光変調器の制御を説明するための波形図である。
【図５】外部共振器型レーザの一例を示す概略図である。
【図６】外部共振器型レーザの波長変化を説明するための波形図である。
【図７】図６の一部拡大図である。
【図８】制御部による空間光変調器の制御の他の例を説明するための波形図である。
【図９】ホログラム記録における２光束光学系の概略図である。
【図１０】ホログラム記録における２光束光学系において参照光側に空間光変調器を入れた場合の概略図である。
【図１１】図１に示した光学系の概略図である。
【符号の説明】
【０１１５】
１００  ホログラム記録再生装置の光学ユニット
１０１  ホログラム記録媒体
１１１  記録再生用光源
１１３  偏光ビームスプリッタ
１２３  空間光変調器
１４３  位相変調素子
１５９  制御部
【図１】
2006106322.tif 000003
【図２】
2006106322.tif 000004
【図３】
2006106322.tif 000005
【図４】
2006106322.tif 000006
【図５】
2006106322.tif 000007
【図６】
2006106322.tif 000008
【図７】
2006106322.tif 000009
【図８】
2006106322.tif 000010
【図９】
2006106322.tif 000011
【図１０】
2006106322.tif 000012
【図１１】
2006106322.tif 000013